(57)【要約】【課題】十分な汚れ落とし効果が得られ、しかも、頭皮や頭髪などの清拭される対象物を傷つけることなく清拭でき、さらに、汚れ除去効果が容易に認識できる清拭用ブラシを提供する。【解決手段】基板１と、該基板１の一方の面１ａに設けられた複数の突起部２とを有し、突起部２は、面状の頂部２ａと、剛性の弱い弱化部の形成された側面２２とを有する清拭用ブラシ１０とする。【選択図】図１
2008119236.tif 000002
【特許請求の範囲】
【請求項１】
基板と、該基板の一方の面に設けられた複数の突起部とを有し、
前記突起部は、面状の頂部と、剛性の弱い弱化部の形成された側面とを有することを特徴とする清拭用ブラシ。
【請求項２】
前記頂部が平面状であり、
前記突起部の圧縮強度が、前記頂部に近い位置ほど弱いものであることを特徴とする清拭用ブラシ。
【請求項３】
前記基板および前記突起部は不織布からなり、
前記突起部は該基板の一部を突出させることにより形成されたものであり、
前記不織布厚さは、前記頂部から基部側に向かって３ｍｍまでの範囲を形成する上側面部および前記頂部が０．１ｍｍ〜０.５ｍｍであり、
前記上側面部から前記基部までの範囲を形成する下側面部が前記上側面部の厚みを超える寸法であることを特徴とする請求項１または請求項２に記載の清拭用ブラシ。
【請求項４】
前記基板には、該基板の縁部から帯状に延在する第１のバンド部と、該基板の縁部から前記第１のバンド部と反対方向に帯状に延在する第２のバンド部とが備えられ、
前記第１のバンド部には、該第１のバンド部の幅方向に切り込まれてなる少なくとも１つの第１切込み部が設けられ、
前記第２のバンド部には、該第２のバンド部の幅方向に切り込まれてなり、前記第１切込み部と嵌合可能な少なくとも１つの第２切込み部が設けられ、
前記第１切込み部と前記第２切込み部とを嵌合させることにより、前記第１のバンド部と前記第２のバンド部とが連結されるものであることを特徴とする請求項１〜請求項３のいずれかに記載の清拭用ブラシ。
【請求項５】
頭髪および頭皮の清拭に使用されるものであることを特徴とする請求項１〜請求項４のいずれかに記載の清拭用ブラシ。
【請求項６】
前記不織布が、スパンボンド不織布であることを特徴とする請求項１〜請求項５のいずれかに記載の清拭用ブラシ。
【発明の詳細な説明】
【技術分野】
【０００１】
本発明は、清拭用ブラシに関し、特に、頭髪および頭皮の清拭に好適に使用される清拭用ブラシに関する。
【背景技術】
【０００２】
頭皮や頭髪に付着している汚れには、ほこりやヘアケア剤などの外部由来のものや、皮脂や新陳代謝によって不要となった角質層などの人体由来のものがある。このような頭皮や頭髪の汚れを除去する方法としては、湯または水で頭髪と頭皮を濡らした後、界面活性剤が主成分であるシャンプー剤をつけてよく泡立て、湯または水で十分にすすぎ流す洗髪方法が一般的である。２、３日洗髪をしないと、頭皮から分泌される皮脂による不快なべたつき感や、皮脂の酸化などを原因とするにおいが発生する。このため、ほとんどの人が毎日あるいは１〜２日おきに洗髪を行っている。
【０００３】
しかしながら、病気やケガで入院して入浴できない時や、地震などの大規模な自然災害により多量の湯や水が使用できない時には、数日間、長い場合には数週間、頭皮や頭髪を洗うことができない。
このような場合には、濡れたタオルや、水やアルコールを含浸させたウェットティッシュなどを用いて頭皮や頭髪を拭くことにより、頭皮や頭髪の汚れを除去しているが、汚れ落ちは不十分である。特に頭皮の汚れは、頭髪がじゃまするので落としにくい。
【０００４】
また、水やエタノールあるいはその混合物を基本的な成分としたドライシャンプー剤を頭皮および頭髪に塗布し、タオルなどで汚れと一緒にドライシャンプー剤を拭取る洗髪方法が知られている。しかし、ドライシャンプー剤を用いた場合であっても、濡れたタオルやウェットティッシュを用いた場合と同様、十分に頭皮や頭髪の汚れを除去することはできない。
【０００５】
また、シャンプー剤などの薬液と、紙や繊維からなり、多数の突起を備えた種々のブラシとを用いて洗髪を行う方法が提案されている（例えば、特許文献１〜特許文献３参照）。
【特許文献１】特開平１１−３３２６５０号公報
【特許文献２】特開２０００−１０６９３７号公報
【特許文献３】特開２０００−１８９２４９号公報
【発明の開示】
【発明が解決しようとする課題】
【０００６】
しかしながら、従来のブラシでは、突起の強度が適切でないため、頭皮を傷つけてしまいやすかったり、汚れ落とし効果が十分に得られなかったりすることが問題となっていた。また、従来のブラシは、単独では手に安定して保持させることができない、または、手に保持される部分の強度が弱いという問題があった。このため、従来のブラシでは、洗髪時に頭皮に十分な荷重が負荷できなかったり、時間をかけて丁寧に洗髪することができなかったりして、汚れ落とし効果が十分に得られない場合があった。
さらに、従来の洗髪方法では、頭皮や頭髪の汚れ除去効果が認識しにくかった。
【０００７】
本発明は、上記の点に鑑みてなされたものであり、十分な汚れ落とし効果が得られ、しかも、頭皮や頭髪などの清拭される対象物を傷つけることなく清拭でき、さらに、汚れ除去効果が容易に認識できる清拭用ブラシを提供することを目的とする。
【課題を解決するための手段】
【０００８】
本発明者は、鋭意研究を重ね、突起の形状および強度を適切なものとすることにより、本発明の清拭用ブラシを想到した。
本発明の清拭用ブラシは、基板と、該基板の一方の面に設けられた複数の突起部とを有し、前記突起部は、面状の頂部と、剛性の弱い弱化部の形成された側面とを有することを特徴とする。
【０００９】
また、本発明の清拭用ブラシでは、前記頂部が平面状であり、前記突起部の圧縮強度が、前記頂部に近い位置ほど弱いものであるものとすることができる。
また、本発明の清拭用ブラシでは、前記突起部は、１０Ｎ３分間の圧縮力に対して０.１〜１．５ｍｍつぶれるものとすることができる。
また、本発明の清拭用ブラシでは、前記突起部は、２０Ｎ３分間の圧縮力に対して１．５ｍｍ以上つぶれるものとすることができる。
【００１０】
また、本発明の清拭用ブラシにおいては、前記基板および前記突起部は不織布からなり、前記突起部は該基板の一部を突出させることにより形成されたものであり、前記不織布厚さは、前記頂部から基部側に向かって３ｍｍまでの範囲を形成する上側面部および前記頂部が０．１ｍｍ〜０.５ｍｍであり、前記上側面部から前記基部までの範囲を形成する下側面部が前記上側面部の厚みを超える寸法であるものとすることができる。
【００１１】
また、本発明の清拭用ブラシにおいては、前記基板には、該基板の縁部から帯状に延在する第１のバンド部と、該基板の縁部から前記第１のバンド部と反対方向に帯状に延在する第２のバンド部とが備えられ、前記第１のバンド部には、該第１のバンド部の幅方向に切り込まれてなる少なくとも１つの第１切込み部が設けられ、前記第２のバンド部には、該第２のバンド部の幅方向に切り込まれてなり、前記第１切込み部と嵌合可能な少なくとも１つの第２切込み部が設けられ、前記第１切込み部と前記第２切込み部とを嵌合させることにより、前記基板と前記第１のバンド部と前記第２のバンド部とからなる環状体が形成されるものとすることができる。
【００１２】
また、本発明の清拭用ブラシにおいては、頭髪および頭皮の清拭に使用されるものとすることができる。
【００１３】
また、本発明の清拭用ブラシにおいては、前記不織布が、スパンボンド不織布であるものとすることができる。
【発明の効果】
【００１４】
本発明の清拭用ブラシは、基板と、基板の一方の面に設けられた複数の突起部とを有し、前記突起部が、面状の頂部と、剛性の弱い弱化部の形成された側面とを有するので、十分な汚れ落とし効果が得られ、しかも、頭皮や頭髪などの清拭される対象物を傷つけることなく清拭でき、さらに、汚れ除去効果が容易に認識できる。
【発明を実施するための最良の形態】
【００１５】
次に、図面を用いて本発明の実施の形態を詳細に説明する。なお、本発明は、以下に説明する実施の形態に限定されない。
「第１実施形態」
図１は、本発明の清拭用ブラシの一例を説明するための図であり、図１（ａ）は清拭用ブラシの全体を示した斜視図であり、図１（ｂ）は図１（ａ）に示す清拭用ブラシを構成する突起部のうちの１つを示した拡大図であり、図１（ｃ）は図１（ａ）に示す清拭用ブラシを構成する突起部のうちの１つを示した断面図である。
【００１６】
図１（ａ）に示す清拭用ブラシ１０は、頭髪および頭皮の清拭に使用されるものであり、本体を構成する基板１と、基板１の一方の面１ａに設けられた複数の突起部２とを有している。また、基板１には、図１（ａ）に示すように、基板１の縁部から帯状に延在する第１のバンド部３と、基板１の縁部から第１のバンド部３と反対方向に帯状に延在する第２のバンド部４とが備えられている。基板１、第１のバンド部３、第２のバンド部４、突起部２は、全てスパンボンド不織布からなるものであり、一体成形されている。
【００１７】
突起部２は、図１（ａ）に示すように、基板１の一部を突出させることにより形成されたものであり、図１（ｂ）に示すように、頂部２ａが平面視長方形の平面状とされ、図１（ｃ）に示すように、中空で、頂部２ａから基部２ｂに向かって徐々に外周が大きくなる外形形状を有している。
【００１８】
図１（ａ）に示す清拭用ブラシ１０では、突起部２はすべて同じ材質及び形状のものであり、頂部２ａの長辺方向の揃えられた４個または５個の突起部２からなる列が、第１のバンド部３と第２のバンド部４との間に５列設けられている。なお、列ごとに揃えられている頂部２ａの長辺方向は、隣接する列を構成する突起部２の頂部２ａの長辺方向と直交するように配置され、第１のバンド部３および第２のバンド部４の延在方向に対して約４５°傾いて配置されている。
このように図１（ｂ）に示す突起部２を、図１（ａ）に示すように配置することで、例えば、第１のバンド部３および第２のバンド部４の延在方向に沿って清拭用ブラシ１０を動かした場合に、突起部２と頭髪および頭皮とを十分に接触させて効率よく汚れを除去することができるとともに、櫛通りのよい使用感に優れたものとなる。
【００１９】
なお、図１（ａ）に示す清拭用ブラシ１０では、頂部２ａが平面視長方形の平面状とされているが、頂部２ａを平面視したときの形状は長方形のみに限定されるものではなく、例えば、円形、三角形、ひし形など如何なる形状であってもよい。さらに、頂部２ａは平面状に限定されるものではなく、例えば、中心に向かって凸状または凹状に形成された曲面であってもよく、面状であればよい。
また、突起部２の向きや数についても図１（ａ）に示す例に限定されるものではなく、適宜変更可能である。
【００２０】
突起部２の平面状の頂部２ａの面積は、４ｍｍ２〜２０ｍｍ２の範囲であることが好ましい。頂部２ａの面積が上記の範囲を超えると、突起部２の頂部２ａが頭髪に邪魔されて頭皮に接触しにくくなり、汚れ落とし効果が十分に得られなくなる恐れが生じる。また、頂部２ａの面積が上記の範囲未満であると、頭皮に接触する突起部２の面積が少なくなり、突起部２と頭皮とを十分に接触させることができなくなるため、汚れ落とし効果が十分に得られない場合がある。頭皮に接触する突起部２の面積が少なくなるため、洗髪時に頭皮に負荷される荷重が大きくなりすぎて、頭皮に傷みを感じたり、頭皮や頭髪を傷つけてしまったりする恐れが生じる。さらに、頂部２ａの面積が小さすぎて、頂部２ａに付着した汚れが視認しにくくなるので、汚れ除去効果が認識しにくくなる恐れがある。なお、図１（ａ）に示す清拭用ブラシ１０を用いて頭皮や頭髪を清拭した場合、通常、頂部２ａには黒ずんだ汚れが付着する。スパンボンド不織布は、通常白色であるので、汚れの付着の有無は容易に判断できる。
【００２１】
なお、突起部２の頂部２ａが平面視長方形である場合、長方形の長辺寸法は７ｍｍ以下とすることが好ましく、５ｍｍ以下とすることがより好ましい。また、長方形の短辺寸法は１ｍｍ以上とすることが好ましく、２ｍｍ以上とすることがより好ましい。
【００２２】
また、図１（ａ）に示す清拭用ブラシ１０において、図１（ｃ）に示す突起部２の高さＨは３ｍｍ〜１０ｍｍの範囲とするのが好ましい。突起部２の高さＨが３ｍｍ未満であると、頭髪に邪魔されて頂部２ａが頭皮に接触しにくくなり、汚れ落とし効果が十分に得られない場合がある。また、突起部２の高さＨが１０ｍｍを超えると、十分な圧縮強度を有する突起部２が製造できなくなる恐れが生じる。
【００２３】
清拭ブラシ１を用いて頭髪および頭皮を清拭する際には、通常、突起部２に対して１０Ｎ３分間程度の圧縮力が加わり、突起部２に対して２０Ｎ３分間程度の圧縮力が加わえられると、かなり強い負荷が感じられ、突起部２に対して３０Ｎ程度の圧縮力が加わえられると、頭皮に傷みを感じる。
図１（ａ）に示す清拭用ブラシ１０では、図１（ｃ）に示すように突起部２を構成する不織布厚さを、頂部２ａに近い部分を薄くし、基部２ｂに近づくにしたがって厚くなるようにすることにより、突起部２の圧縮強度が頂部２ａに近い位置ほど弱いものとし、突起部２の側面２２を剛性の弱い弱化部（頂部２ａに近い部分）と剛性の強い部分（基部２ｂに近い部分）とが存在する剛性の不均一なものとしている。
【００２４】
具体的には、不織布厚さは、突起部２の頂部２ａおよび図１（ｂ）に示す頂部２ａから基部２ｂ側に向かって３ｍｍまでの範囲ｈを形成する上側面部２ｃでは、好ましくは０．１ｍｍ〜０.５ｍｍ、より好ましくは０．１ｍｍ〜０.３ｍｍとされ、上側面部２ｃから基部２ｂまでの範囲を形成する下側面部２ｄでは、頂部２ａおよび上側面部２ｃの厚みを超える寸法とされている。
【００２５】
突起部２の頂部２ａおよび上側面部２ｃの不織布厚さが０.５ｍｍを超えると、突起部２の圧縮強度が強すぎて、洗髪時の突起部２への荷重によって突起部２がつぶれにくくなり、汚れ除去効果が視認しにくくなったり、清拭時に頭皮に傷みを感じやすくなったりする場合がある。また、突起部２の頂部２ａおよび上側面部２ｃの不織布厚さが０.１ｍｍを未満であると、突起部２に穴が開いたり、突起部２の圧縮強度が弱すぎて、通常の清拭における突起部２への負荷により突起部２が大きく変形したりする場合がある。突起部２が大きく変形してしまうと、清拭時に突起部２の頂部２ａが頭皮に到達しにくくなったり、突起部２の外形形状に沿って頭髪を接触させることができなくなったりし、汚れ落とし効果が十分に得られなくなる恐れがある。
【００２６】
また、図１（ａ）に示す清拭用ブラシ１０においては、突起部２は全て、１０Ｎ３分間の圧縮力に対して０.１〜１．５ｍｍつぶれるものとされており、０．３ｍｍ〜１ｍｍつぶれるものとされていることがより好ましい。突起部２が１０Ｎ３分間の圧縮力に対してつぶれる寸法が上記の範囲未満であると、汚れ除去効果が視認しにくくなったり、清拭時に頭皮に傷みを感じる場合がある。また、突起部２が１０Ｎ３分間の圧縮力に対してつぶれる寸法が上記の範囲を超えると、通常の清拭における突起部２への負荷により突起部２が大きく変形してしまう場合がある。
【００２７】
また、図１（ａ）に示す清拭用ブラシ１０においては、突起部２は全て、２０Ｎ３分間の圧縮力に対して１．５ｍｍ以上つぶれるものとされている。突起部２が２０Ｎ３分間の圧縮力に対してつぶれる寸法が上記の範囲未満であると、清拭時に通常以上の圧縮力が突起部２に加わった場合に、突起部２がつぶれることによって頭皮への衝撃を効果的に吸収することができず、頭皮に傷みを感じる場合がある。
【００２８】
なお、本実施形態においては、突起部２は全て、１０Ｎ３分間の圧縮力に対して０.１〜１．５ｍｍつぶれ、２０Ｎ３分間の圧縮力に対して１．５ｍｍ以上つぶれるという力学的特性を有するものとしたが、本発明の清拭用ブラシを構成する突起部は、突起部２の側面２２に剛性の弱い弱化部の形成されたものであればよく、上記の力学的特性を有していなくてもよい。例えば、突起部２の側面２２にリング状に剛性の弱い部分（弱化部）が形成されているものとしてもよいし、突起部２の圧縮強度が頂部２ａに近い位置ほど強いものとしてもよい。
【００２９】
また、突起部の力学的特性は、全ての突起部が同じであってもよいし一部または全部の突起部が異なっていてもよい。しかし、例えば、複数の突起部のうちの１つの突起部のみ圧縮力が極端に高い場合には、清拭時に発生する清拭用ブラシから頭皮への負荷が圧縮力の高い１つの突起部に集中し、頭皮に強い衝撃が加わり、頭皮に傷みを感じる場合がある。しかし、複数の突起部のうちの数個の突起部の圧縮力が極端に低くても、問題ない。
【００３０】
また、図１（ａ）に示すように、第１のバンド部３には、第１のバンド部３の幅方向に切り込まれてなる２つの第１切込み部３ａ、３ｂが設けられている。また、第２のバンド部４には、第２のバンド部４の幅方向に切り込まれてなり、第１切込み部３ａ、３ｂと嵌合可能な１つの第２切込み部４ａが設けられている。
図１（ａ）に示す清拭用ブラシ１０では、第１切込み部３ａ、３ｂと第２切込み部４ａとを嵌合させることにより、第１のバンド部３と第２のバンド部４とが連結されるようになっている。第１のバンド部３と第２のバンド部４とを連結させると、第１のバンド部３と第２のバンド部４と基板１からなる環状体が形成される。
【００３１】
ここで、図１に示す清拭用ブラシ１０では、２つの第１切込み部３ａ、３ｂが設けられているので、第２切込み部４ａを第１切込み部３ａと嵌合させた場合と、第２切込み部４ａを第１切込み部３ａ、３ｂと嵌合させた場合とで、外周寸法の異なる環状体が形成される。したがって、図１（ａ）に示す清拭用ブラシ１０では、環状体の中に手を入れて清拭用ブラシ１０を把持する場合に、使用者の手の大きさに対応して環状体の外周寸法を調節することができ、容易に安定して手に保持させることができるので、優れた使用性が得られる。
【００３２】
また、図１（ａ）に示す清拭用ブラシ１０は、上述したようにスパンボンド不織布からなるものである。スパンボンド不織布は、（１）突起形状を有する金型を用いて容易に突起部２の形状を付与することができる、（２）安定して手に保持させることができる十分な強度を有する第１のバンド部３および第２のバンド部４が得られる、（３）清拭剤を併用して頭皮および頭髪を清拭する場合に清拭剤に含まれる水やエタノールを含むことで軟化したり溶解したりしない、（４）安全性上の懸念がある接着剤などの薬剤が使用されていない清拭用ブラシ１０を得ることができるため好ましい。
【００３３】
また、図１（ａ）に示す清拭用ブラシ１０を構成するスパンボンド不織布としては、ポリエチレン（ＰＥ）、ポリプロピレン（ＰＰ）、ポリエチレンテレフタレート（ＰＥＴ）、ポリエステルなどからなり、坪量が１００〜４００ｇ/ｍ2であるものを用いることが望ましい。坪量が１００ｇ/ｍ2未満であると、十分な強度を有する突起部２、第１のバンド部３、第２のバンド部４が形成できない恐れがある。また、坪量が４００ｇ/ｍ2を超えると、第１のバンド部３と第２のバンド部４との連結がしにくくなったり、好適な力学的特性を有する突起部２を形成することが困難となったりして、使用感が低下する恐れがある。
【００３４】
図１（ａ）に示す清拭用ブラシ１０を製造するには、例えば、均一な厚みを有する板状のスパンボンド不織布を用意し、突起部２の形状に対応する突起形状を有する金型を用いて、加熱しながらスパンボンド不織布に突起部２の形状を付与する。
なお、突起部２の成形方法は、上述した圧縮成形（プレス形成）の他、真空成形や圧穴成形などの方法により成形することができる。
このようにして突起部２を形成することで、突起部２を構成する不織布厚さは、頂部２ａに近い部分が薄く、基部２ｂに近づくにしたがって厚いものとなり、突起部２の圧縮強度が頂部２ａに近い位置ほど弱いものとなり、突起部２の側面２２に剛性の弱い弱化部の形成されたものとなる。
その後、突起部２の形成されたスパンボンド不織布を抜き型で所定の形に切り抜くことにより、第１のバンド部３および第２のバンド部４を形成するとともに、第１切込み部３ａ、３ｂおよび第２切込み部４ａを形成し、図１（ａ）に示す清拭用ブラシ１０が得られる。
【００３５】
図１（ａ）に示す清拭用ブラシ１０を用いて頭皮および頭髪を清拭する場合には、まず、第１のバンド部３と第２のバンド部４とを基板１の一方の面１ａが外側となるようにして連結させ、第１のバンド部３と第２のバンド部４と基板１からなる環状体を形成する。そして、得られた環状体の中に、基板１側が手の平側となるように手を入れて清拭用ブラシ１０を把持し、突起部２で頭皮および頭髪を擦る方法によって行うことができる。
【００３６】
また、図１（ａ）に示す清拭用ブラシ１０を用いて頭皮および頭髪を清拭する場合、使用者は通常、突起部２で頭皮および頭髪に押し付けながら、第１のバンド部３および第２のバンド部４の延在方向に沿って清拭用ブラシ１０を動かす。このとき、使用者の手から清拭用ブラシ１０に負荷される第１のバンド部３および第２のバンド部４の延在方向の力は、第１のバンド部３および第２のバンド部４の幅全体によって受け止められる。このため、図１に示す清拭用ブラシ１０においては、使用者の手から清拭用ブラシ１０に負荷される力への強度が十分に得られる。よって、頭皮および頭髪の清拭時に、清拭用ブラシ１０から頭皮に十分な荷重を負荷することができるとともに、時間をかけて丁寧に清拭することができ、十分に汚れ落としを行なうことができる。
【００３７】
また、図１（ａ）に示す清拭用ブラシ１０を用いて頭皮および頭髪を清拭する場合には、清拭剤を併用して、清拭効果を向上させることが望ましい。ここで用いられる清拭剤としては、特に限定されないが、例えば、水やエタノールあるいはその混合物を基本的な成分とした市販のドライシャンプー剤などを用いることができる。
【００３８】
図１（ａ）に示す清拭用ブラシ１０では、頂部２ａが平面状である複数の突起部２を有し、突起部２の側面２２に剛性の弱い弱化部の形成されたものであるので、十分な汚れ落とし効果が得られ、しかも、頭皮や頭髪を傷つけることなく清拭でき、さらに、汚れ除去効果が容易に認識できる優れた清拭用ブラシ１となる。
例えば、図１（ａ）に示す清拭用ブラシ１０を用いて他人の頭皮および頭髪を清拭する場合には、他人の頭皮に一時的に強い力が加わってしまったとしても、突起部がつぶれて頭皮への衝撃を吸収するため、痛みを感じさせてしまうことを防止できる。また、清拭中や清拭後に、平面状の頂部２ａに付着した汚れを視認できるので、汚れ除去効果を容易に認識できる。したがって、本実施形態の清拭用ブラシ１０は、安心して確実に他人の頭皮および頭髪の清拭に使用できる。
【００３９】
これに対し、例えば、従来の清拭用ブラシを用いて頭皮および頭髪を清拭する場合、自分の頭皮および頭髪を自分で清拭する場合には清拭用ブラシに負荷する力を自分で適切に調節しながら清拭できるが、入院患者など自分で清拭できない人の頭皮および頭髪を他人が清拭する場合には清拭用ブラシに負荷する力の調節がしづらいため、他人の頭皮に一時的に強い力が加わってしまい、痛みを感じさせてしまうことがあった。
【００４０】
また、図１（ａ）に示す清拭用ブラシ１０は、突起部２の圧縮強度が頂部２ａに近い位置ほど弱いものであるので、清拭時に突起部２に荷重が負荷された場合に、突起部２が容易に変形して頭皮への衝撃を効果的に吸収するものとなり、頭皮に傷みを感じることを効果的に防止できるものとなる。
【００４１】
さらに、図１（ａ）に示す清拭用ブラシ１０では、突起部２が１０Ｎ３分間の圧縮力に対して０.１〜１．５ｍｍつぶれるものであるので、汚れ除去効果が非常に視認しやすく、清拭時に通常の圧縮強度が突起部２に加わった場合に突起部２が適度につぶれて頭皮への衝撃を吸収することにより頭皮に傷みを感じることを防止でき、しかも、通常の清拭における突起部２への負荷により突起部２が大きく変形して汚れ落とし効果が低下することがない優れた清拭用ブラシ１となる。
【００４２】
また、図１（ａ）に示す清拭用ブラシ１０では、突起部２が２０Ｎ３分間の圧縮力に対して１.５ｍｍ以上つぶれるものであるので、清拭時に通常以上の圧縮強度が突起部２に加わった場合に、突起部２がつぶれて頭皮への衝撃を吸収することにより頭皮に傷みを感じることを防止できる。
【００４３】
また、図１（ａ）に示す清拭用ブラシ１０において、基板１および突起部２を不織布からなるものとし、突起部２を基板１の一部を突出させることにより形成されたものとし、不織布厚さを、頂部２ａおよび上側面部２ｃでは０．１ｍｍ〜０.５ｍｍとし、下側面部２ｄでは上側面部２ｃの厚みを超える寸法とすることで、汚れ除去効果が非常に視認しやすく、清拭時に頭皮に傷みが発生することを効果的に防止でき、しかも、突起部２に穴が開いたり、通常の清拭における突起部２への負荷により突起部２が大きく変形したりすることのない良好な清拭用ブラシ１０となる。
【００４４】
なお、上述した実施形態においては、突起部２を構成する不織布厚さを頂部２ａに近い部分と基部２ｂに近い部分とで変化させることにより、突起部２の圧縮強度が、頂部２ａに近い位置ほど弱いものとなるようにしたが、本発明の清拭用ブラシは上述した実施形態に限定されるものでなく、例えば、突起部２の側面２２の一部に不織布の軟化剤などを塗布する方法などにより、突起部２の側面２２に剛性の弱い弱化部を形成してもよい。
【００４５】
また、上述した実施形態においては、第１のバンド部３には２つの第１切込み部３ａ、３ｂが設けられ、第２のバンド部には１つの第２切込み部４ａが設けられているものを例に挙げて説明したが、第１のバンド部および第２のバンド部には、少なくとも１つの切込み部が設けられていればよい。なお、使用者の手の大きさに対応して環状体の外周寸法を調節することができるものとする場合には、第１のバンド部および第２のバンド部のうち少なくとも一方に、少なくとも２つの切込み部が設けられていればよく、例えば、第１のバンド部に３つの第１切込み部を設けて、３段階に環状体の外周寸法を調節可能なものとしてもよいし、第２のバンド部に２つの第２切込み部を設けてもよい。
【００４６】
また、上述した実施形態においては、スパンボンド不織布からなる清拭用ブラシを例に挙げて説明したが、清拭用ブラシの材質はスパンボンド不織布のみに限定されるものではなく、例えば、ケミカルボンド不織布、サーマルボンド不織布、スパンレース不織布、ステッチボンド不織布、ニードルパンチ不織布、メルトブロー不織布などの不織布を用いることができる。中でも、スパンボンド不織布、ケミカルボンド不織布、ステッチボンド不織布、メルトブロー不織布を用いると、適度な圧縮強度が得られるため好ましく、スパンボンド不織布を用いることが最も好ましい。
【００４７】
「第２実施形態」
図２は、本発明の清拭用ブラシの他の例を説明するための斜視図である。図２に示す清拭用ブラシ２０は、上述した第１実施形態と同様に、頭髪および頭皮の清拭に使用されるものであり、基板１と、基板１の一方の面１ａに設けられた複数の突起部２とを有している。基板１および突起部２は、第１実施形態と同様にスパンボンド不織布からなるものであり、一体成形されている。また、突起部２は第１実施形態と同様のものが同様に配列されている。
【００４８】
しかし、図２に示す清拭用ブラシ２０では、第１実施形態と異なり、基板１の平面形状は略長方形とされており、対向する短辺１ｂ側の縁部には、それぞれ短辺１ｂ、１ｂに沿って切込み１ｃ、１ｄが形成されている。また、図２に示す清拭用ブラシ２０では、第１実施形態と異なり、頂部２ａの長辺方向の揃えられた４個または５個の突起部２からなる列の方向が、切込み１ｃ、１ｄの延在方向と略直交するようになっている。また、列ごとに揃えられている頂部２ａの長辺方向は、切込み１ｃ、１ｄの延在方向に対して約４５°傾いて配置されている。
図２に示す突起部２を、図２に示すように配置することで、例えば、切込み１ｃ、１ｄの延在方向に沿って清拭用ブラシ２０を動かした場合に、突起部２と頭髪および頭皮とを十分に接触させて効率よく汚れを除去することができるとともに、櫛通りのよい使用感に優れたものとなる。
【００４９】
図２に示す清拭用ブラシ２０を製造するには、例えば、上述した第１実施形態と同様に、均一な厚みを有する板状のスパンボンド不織布を用意し、突起部２の形状に対応する突起形状を有する金型を用いて、加熱しながらスパンボンド不織布に突起部２の形状を付与する。
その後、突起部２の形成されたスパンボンド不織布を抜き型で所定の形に切り抜くとともに、切込み１ｃ、１ｄを形成することにより、図２に示す清拭用ブラシ２０が得られる。
【００５０】
図２に示す清拭用ブラシ２０を用いて頭皮および頭髪を清拭する場合には、まず、切込み１ｃ、１ｄの中に、基板１の一方の面１ａと反対側の面が手の平側となるように手を入れて清拭用ブラシ２０を把持し、突起部２で頭皮および頭髪を擦る方法によって行うことができる。
なお、図２に示す清拭用ブラシ２０を用いて頭皮および頭髪を清拭する場合にも、上述した第１実施形態と同様に、清拭剤を併用して、清拭効果を向上させることが望ましい。
【００５１】
図２に示す清拭用ブラシ２０においても、頂部２ａが平面状である複数の突起部２を有し、突起部２の側面２２に剛性の弱い弱化部の形成されたものであるので、十分な汚れ落とし効果が得られ、しかも、頭皮や頭髪を傷つけることなく清拭でき、さらに、汚れ除去効果が容易に認識できる優れた清拭用ブラシ２０となる。
【００５２】
また、図２に示す清拭用ブラシ２０は、基板１の対向する縁部にそれぞれ縁部に沿って形成された切込み１ｃ、１ｄを備え、切込み１ｃ、１ｄを用いて清拭用ブラシ２０を把持するものであるので、第１実施形態と比較して、コンパクトな形状を有するものとなる。
【００５３】
「第３実施形態」
図２は、本発明の清拭用ブラシの他の例を説明するための斜視図である。図３に示す清拭用ブラシ３０は、上述した第１実施形態および第２実施形態と同様に、頭髪および頭皮の清拭に使用されるものであり、基板１と、基板１の一方の面１ａに設けられた複数の突起部２とを有している。基板１および突起部２は、第１実施形態および第２実施形態と同様にスパンボンド不織布からなるものであり、一体成形されている。また、突起部２も第１実施形態および第２実施形態と同様のものとされている。
【００５４】
また、図３に示す清拭用ブラシ３０では、第２実施形態と同様に、基板１の平面形状は略長方形とされているが、第２実施形態と異なり、中央部に短辺１ｂ方向に延在する切込み１ｅ、１ｆが形成されている。また、図３に示す清拭用ブラシ３０では、切込み１ｅ、１ｆの両側に、頂部２ａの長辺方向の揃えられた２個または３個の突起部２からなる列がそれぞれ５列設けられており、列の方向が、切込み１ｅ、１ｆの延在方向と略直交するように配置されている。また、列ごとに揃えられている頂部２ａの長辺方向は、切込み１ｅ、１ｆの延在方向に対して約４５°傾いて配置されている。
図３に示す突起部２を、図３に示すように配置することで、例えば、切込み１ｅ、１ｆの延在方向に沿って清拭用ブラシ３０を動かした場合に、突起部２と頭髪および頭皮とを十分に接触させて効率よく汚れを除去することができるとともに、櫛通りのよい使用感に優れたものとなる。
【００５５】
図３に示す清拭用ブラシ３０を製造するには、例えば、上述した第２実施形態と同様に、均一な厚みを有する板状のスパンボンド不織布を用意し、突起部２の形状に対応する突起形状を有する金型を用いて、加熱しながらスパンボンド不織布に突起部２の形状を付与する。
その後、上述した第２実施形態と同様に、突起部２の形成されたスパンボンド不織布を抜き型で所定の形に切り抜くとともに、切込み１ｅ、１ｆを形成することにより、図３に示す清拭用ブラシ３０が得られる。
【００５６】
図３に示す清拭用ブラシ３０を用いて頭皮および頭髪を清拭する場合には、まず、切込み１ｅの中に基板１の一方の面１ａと反対側の面側から手を入れ、その手を切込み１ｆの中に入れ、基板１の一方の面１ａと反対側の面が手の平側となるように清拭用ブラシ３０を把持し、突起部２で頭皮および頭髪を擦る方法によって行うことができる。
なお、図３に示す清拭用ブラシ３０を用いて頭皮および頭髪を清拭する場合にも、上述した第１実施形態と同様に、清拭剤を併用して清拭効果を向上させることが望ましい。
【００５７】
図３に示す清拭用ブラシ３０においても、頂部２ａが平面状である複数の突起部２を有し、突起部２の側面２２に剛性の弱い弱化部の形成されたものであるので、十分な汚れ落とし効果が得られ、しかも、頭皮や頭髪を傷つけることなく清拭でき、さらに、汚れ除去効果が容易に認識できる優れた清拭用ブラシ３０となる。
【００５８】
また、図３に示す清拭用ブラシ３０には、基板１の中央部に対向する縁部の方向に延在する切込み１ｅ、１ｆが形成されており、切込み１ｅ、１ｆを用いて清拭用ブラシ３０を把持するものであるので、第１実施形態と比較して、コンパクトな形状を有するものとなる。
【００５９】
「第４実施形態」
図４は、本発明の清拭用ブラシの他の例を説明するための斜視図である。図４に示す清拭用ブラシ６０は、上述した第１実施形態および第２実施形態と同様に、頭髪および頭皮の清拭に使用されるものであり、基板１と、基板１の一方の面１ａに設けられた複数の突起部２３とを有している。図４に示す清拭用ブラシ６０が、上述した第１実施形態の清拭用ブラシ１０と異なるところは、突起部２３の数と形状のみであるので、上述した第１実施形態の清拭用ブラシ１０と同じところについての説明を省略し、異なるところのみ説明する。
【００６０】
図４に示す清拭用ブラシ６０では、４個の突起部２３からなる列が、第１のバンド部３と第２のバンド部４との間に５列設けられている。なお、突起部２３からなる列の方向は、第１のバンド部３および第２のバンド部４の延在方向とほぼ同じとされている。
突起部２３を、図４に示すように配置することで、例えば、第１のバンド部３および第２のバンド部４の延在方向に沿って清拭用ブラシ６０を動かした場合に、突起部２３と頭髪および頭皮とを十分に接触させて効率よく汚れを除去することができるとともに、櫛通りのよい使用感に優れたものとなる。
【００６１】
また、図４に示す清拭用ブラシ６０では、第１実施形態の清拭用ブラシ１０と異なり、突起部２３の頂部２３ａが平面視円形の平面状とされ、基部２３ｂが平面視円形され、断面視台形状とされている。
また、図４に示す清拭用ブラシ６０においても、第１実施形態の清拭用ブラシ１０と同様に、突起部２３を構成する不織布厚さを、頂部２３ａに近い部分を薄くし、基部２３ｂに近づくにしたがって厚くなるようにすることにより、突起部２３の圧縮強度が頂部２３ａに近い位置ほど弱いものとし、突起部２３の側面２４を剛性の弱い弱化部（頂部２３ａに近い部分）と剛性の強い部分（基部２３ｂに近い部分）とが存在する剛性の不均一なものとしている。
【００６２】
図４に示す清拭用ブラシ６０においても、頂部２３ａが平面状である複数の突起部２３を有し、突起部２３の側面２４に剛性の弱い弱化部の形成されたものであるので、十分な汚れ落とし効果が得られ、しかも、頭皮や頭髪を傷つけることなく清拭でき、さらに、汚れ除去効果が容易に認識できる優れた清拭用ブラシ６０となる。
【００６３】
なお、上述した実施形態では、清拭用ブラシを用いて頭皮や頭髪を清拭する場合を例に挙げて説明したが、本発明の清拭用ブラシは、頭皮や頭髪以外のものを清拭する場合にも適用できる。
上述した実施形態の清拭用ブラシは、例えば、フライパンにこびりついた油汚れを洗浄する場合や、木製品の清拭を行なう場合、おふろの浴槽を洗浄する場合などにも好ましく適用できる。これらの場合においても、本発明の清拭用ブラシが、頂部２ａが面状である複数の突起部２を有し、突起部２の側面２２に剛性の弱い弱化部の形成されたものであるので、十分な汚れ落とし効果が得られ、しかも、清拭される対象物を傷つけることなく清拭でき、さらに、汚れ除去効果が容易に認識できる。
【００６４】
以下に実施例を示して本発明をさらに詳しく説明するが、本発明はこれら実施例に限定されるものではない。
「実施例１」
坪量２００ｇ／ｍ2、厚さ０.５５ｍｍのＰＥＴ素材のスパンボンド不織布を用意し、突起形状を有する金型を用いて、加熱しながらスパンボンド不織布に金型の突起形状を付与し、基部が縦１２ｍｍ横８ｍｍの長方形、頂部が縦５ｍｍ横３ｍｍの長方形の平面状である略台錐形の表１に示す高さ寸法および表２に示す不織布厚み寸法の図１（ａ）に示す突起部２を２３個形成した。
その後、突起部２の形成されたスパンボンド不織布を抜き型で所定の形に切り抜くことにより、基板の縁部との接続部分の幅が４０ｍｍで先端部の幅が３６ｍｍで基板の縁部から先端部に向かって徐々に幅が狭くなっている第１のバンド部３および第２のバンド部４を形成するとともに、長さ１８ｍｍの２つの第１切込み部３ａ、３ｂと、長さ１８ｍｍの第２切込み部４ａとを形成し、図１（ａ）に示す清拭用ブラシ１０を得た。
【００６５】
【表１】
2008119236.tif 000003
【００６６】
【表２】
2008119236.tif 000004
【００６７】
「比較例１」
坪量３００ｇ／ｍ2、厚さ０.８ｍｍのサーマルボンド不織布を用意し、突起形状を有する金型を用いて、加熱しながらサーマルボンド不織布に金型の突起形状を付与し、基部が直径１１ｍｍの円形で頂点の尖った円錐形の表３に示す高さ寸法および表２に示す不織布厚み寸法の図５に示す突起部２１を２３個形成した。その後、実施例１と同様にして、第１のバンド部３および第２のバンド部４を形成するとともに、２つの第１切込み部３ａ、３ｂと第２切込み部４ａとを形成し、図５に示す清拭用ブラシ４０を得た。
【００６８】
【表３】
2008119236.tif 000005
【００６９】
このようにして得られた実施例１および比較例１の清拭用ブラシを水道水で濡らし、縦８０ｍｍ横８０ｍｍの平らなプラスチック製プレートに全ての突起部を接触させた状態で、プラスチック製プレートを介して突起部に３分間表１および表３に示す荷重を負荷しながら、プラスチック製プレートを小刻みに動かした。そして、上記の荷重を加えた時の突起部の高さおよびつぶれた寸法を調べた。
その結果を表１および表３に示す。なお、表１および表３に示す突起部の高さおよびつぶれた寸法は、清拭用ブラシの中央部に配置された１０個の突起部の平均値である。
【００７０】
表１に示すように、実施例１の清拭用ブラシでは、１０Ｎ３分間の清拭時（通常の力）には０．２７ｍｍつぶれ、２０Ｎ３分間の清拭時（かなり強い力）には１．６５ｍｍつぶれている。
このことにより、実施例１の清拭用ブラシでは、１０Ｎ３分間の清拭時には、突起部が適度につぶれて頭皮との接触面が広くなり、汚れの付着面積が広くなるので、頭皮の汚れを効果的に除去できることが確認できた。また、実施例１の清拭用ブラシでは、１０Ｎ３分間の清拭時に、突起部が適度につぶれて頭皮の微細な凹凸形状に沿って頭皮に接触し、頭皮の汚れを除去できることが確認できた。また、実施例１の清拭用ブラシでは、１０Ｎ３分間の清拭時には、突起部が大きく変形してしまうことはなく、突起部の形状が維持されるため、頭皮の汚れを効果的に除去できることが確認できた。
さらに、実施例１の清拭用ブラシでは、２０Ｎ３分間の清拭時には突起部がつぶれて、頭皮への衝撃を吸収できることが確認できた。
【００７１】
これに対し、比較例１の清拭用ブラシでは、表３に示すように、１０Ｎ３分間の清拭時につぶれた寸法は０．０４ｍｍであり、突起のつぶれがほとんど認められなかった。また、比較例１の清拭用ブラシでは、２０Ｎ３分間の清拭時（かなり強い力）でもほとんどつぶれないことから、汚れの付着面積が狭く頭皮の汚れを効果的に除去できない上、頭皮に強い力が直接加わって、頭皮の痛みを感じやすいことが分かった。
【００７２】
また、表２に示すように、実施例１の清拭用ブラシでは、突起部を構成する不織布厚さは、頂部に近い部分が薄く、基部に近づくにしたがって厚くなっている。よって、突起部の側面に剛性の弱い弱化部が形成されていることが確認できた。
また、表２に示すように、実施例１の清拭用ブラシでは、頂部および頂部より基部側に向かって１ｍｍ、頂部より３ｍｍの不織布厚さ寸法が０．１ｍｍ〜０.５ｍｍであり、頂部より５ｍｍの不織布厚さ寸法が頂部および頂部より１ｍｍ、頂部より３ｍｍの不織布厚さ寸法を超えている。
これに対し、比較例１の清拭用ブラシでは、表２に示すように、突起部全体の不織布厚さが厚く、側面の不織布厚さは全て同じとなっている。よって、突起部全体が硬いものとなっている。
【００７３】
また、このようにして得られた実施例１および比較例１の清拭用ブラシの第１のバンド部と第２のバンド部とを連結させ、第１のバンド部と第２のバンド部と基板とからなる環状体を形成した。そして、２日間洗髪をしていない男性パネル３名が各自、実施例１の清拭用ブラシの環状体の中に左手を入れて清拭用ブラシを把持するとともに、比較例１の清拭用ブラシの環状体の中に右手を入れて清拭用ブラシを把持し、両手を同時に同じように動かして、水で濡れた状態の頭髪および頭皮を、表４に示す圧縮力（負荷荷重）を表４に示す時間で負荷して清拭した。そして、実施例１および比較例１の清拭用ブラシについて、清拭後に目視で観察した場合の汚れの視認性のよさと、清拭による痛みの有無とについて調べた。その結果を表４に示す。
【００７４】
【表４】
2008119236.tif 000006
【００７５】
表４に示すように、実施例１では、１０Ｎ３分間と２０Ｎ３分間のいずれにおいても、突起部の頂部を構成する平面部全体に汚れが認められ、汚れ除去効果が十分に視認できた。また、実施例１では、１０Ｎ３分間の清拭時にも２０Ｎ３分間の清拭時にも、痛みを感じなかった。このことから、実施例１では、通常の力でも強い力でも汚れの視認性に優れており、痛みを感じることなく清拭できることが確認できた。
【００７６】
これに対し、比較例１では、１０Ｎ３分間の清拭後に目視で観察したところ、円錐状の頂部にわずかに汚れが付着していたが、汚れの視認性が悪く、汚れ除去効果の確認が困難であった。また、比較例１では、１０Ｎ３分間の清拭開始後３０秒を過ぎたころから、頭皮がややひりひりとし始め、２０Ｎ３分間の清拭は頭皮の痛みが強いため清拭することができなかった。
【００７７】
「実施例２」
実施例１と同様のスパンボンド不織布を用意し、実施例１と同様にしてスパンボンド不織布に金型の突起形状を付与し、実施例１と同様の高さ寸法および不織布厚み寸法の図２に示す突起部２を２３個形成した。
その後、突起部２の形成されたスパンボンド不織布を抜き型で所定の形に切り抜くことにより、対向する短辺１ｂ側の縁部に、それぞれ短辺１ｂ、１ｂに沿って最大幅５ｍｍ長さ６０ｍｍの切込み１ｃ、１ｄを形成し、図２に示す清拭用ブラシ２０を得た。
【００７８】
「実施例３」
実施例１と同様のスパンボンド不織布を用意し、実施例１と同様にしてスパンボンド不織布に金型の突起形状を付与し、実施例１と同様の高さ寸法および不織布厚み寸法の図３に示す突起部２を２５個形成した。
その後、突起部２の形成されたスパンボンド不織布を抜き型で所定の形に切り抜くことにより、中央部に短辺１ｂ方向に延在する最大幅５ｍｍ長さ６０ｍｍの切込み１ｅ、１ｆを形成し、図３に示す清拭用ブラシ３０を得た。
【００７９】
「比較例２」
実施例１と同様のスパンボンド不織布を用意し、突起部を形成せずにスパンボンド不織布を抜き型で所定の形に切り抜くことにより、実施例１と同様の第１のバンド部３および第２のバンド部４を形成するとともに、実施例１と同様の第１切込み部３ａ、３ｂおよび第２切込み部４ａとを形成し、図６に示す清拭用ブラシ５０を得た。
【００８０】
このようにして得られた実施例１〜実施例３、比較例２の清拭用ブラシを用いて、以下に示すように、頭髪および頭皮の清拭を行なった。
まず、２日間洗髪をしていない男性パネル３名の頭髪および頭皮を、以下に示す清拭剤で濡らし、タオルで拭取った。その後、各男性パネルが各自、実施例１〜実施例３、比較例２の清拭用ブラシを把持して、清拭剤で濡れた状態の頭髪および頭皮を清拭した。
【００８１】
なお、実施例１および比較例２の清拭用ブラシは、第１のバンド部と第２のバンド部とを連結させ、第１のバンド部と第２のバンド部と基板とからなる環状体を形成し、環状体の中に手を入れて清拭用ブラシを把持して使用した。また、実施例２および実施例３の清拭用ブラシでは、切込みの中に手を入れて清拭用ブラシを把持して使用した。
また、清拭剤としては、水とエタノールとを１：１（質量％）の割合で含有する溶液にピロクトンオラミンを０．０５質量％溶解してなる原液と、ジメチルエーテルからなる噴射剤とを、原液／噴射剤＝６５／３５（質量％）となるように、内面がアルミ製、容量１００mＬのエアゾール缶に充填されたものを用いた。
【００８２】
実施例１〜実施例３、比較例２の清拭用ブラシを用いて、頭髪および頭皮の清拭を行なった結果、実施例１〜実施例３では、清拭後の突起部の頂部を構成する平面部全体に汚れが認められ、汚れ除去効果が目視で十分に視認できた。
これに対し、比較例２の清拭用ブラシには、汚れが付着せず、汚れ除去効果が目視で視認できなかった。
【００８３】
また、実施例１では、実施例２および実施例３と比較して、手に安定して保持させることができ、頭髪および頭皮の清拭を、丁寧に十分に時間をかけて行なうことができた。
実施例２および実施例３では、清拭中に、頭皮を擦る力を通常よりも強くしたり、清拭用ブラシを大きく動かしたりすることにより、切り込みの周縁部が裂けてしまい、頭皮に十分な荷重が負荷できなくなり、頭髪および頭皮の清拭を、丁寧に十分に時間をかけて行なうことができなかった。
また、実施例２および実施例３では、清拭中に切り込みに頭髪が挟まってしまう場合があり、実施例１の方が使用しやすかった。
【００８４】
「実施例４」
実施例１と同様のスパンボンド不織布を用意し、突起形状を有する金型を用いて、加熱しながらスパンボンド不織布に金型の突起形状を付与し、高さが８．０ｍｍ、基部が直径１０．５ｍｍの円形、頂部が直径３ｍｍの円形の平面状であり、なだらかな丘陵形状の表２に示す不織布厚み寸法の図４に示す突起部２３を２０個形成した。
その後、実施例１と同様にして、実施例１と同様の第１のバンド部３、第２のバンド部４、第１切込み部３ａ、３ｂ、第２切込み部４ａを形成し、図４に示す清拭用ブラシ６０を得た。
【００８５】
このようにして得られた実施例４の清拭用ブラシを用いて、以下に示すように、頭髪および頭皮の清拭を行なった。
シャンプー剤を用いて洗髪をし、タオルで水分をふき取った後の男性パネル３名が各自、実施例４の清拭用ブラシを把持し、頭髪および頭皮を１０Ｎの圧縮力（負荷荷重）を３分間負荷して清拭した。
【００８６】
なお、実施例４の清拭用ブラシは、第１のバンド部と第２のバンド部とを連結させ、第１のバンド部と第２のバンド部と基板とからなる環状体を形成し、環状体の中に手を入れて清拭用ブラシを把持して使用した。
そして、実施例４の清拭用ブラシについて、清拭後に目視で観察した場合の汚れの視認性のよさと、清拭による痛みの有無とについて調べた。
【００８７】
その結果、実施例４の清拭用ブラシでは、突起部の頂部を構成する平面部全体に汚れが認められ、汚れ除去効果が目視で十分に視認できた。また、実施例４の清拭用ブラシでは、清拭時に痛みを感じなかった。このことから、実施例４の清拭用ブラシでは、通常の力で痛みを感じることなく清拭でき、しかも、汚れの視認性に優れていることが確認できた。
【００８８】
「試験例１」
実施例１の清拭ブラシまたは市販の食器洗い用スポンジを用いて、フライパンにこびりついた油汚れを洗浄した。
【００８９】
その結果、実施例１の清拭ブラシでは、手に安定して保持させた状態で、突起部でこびりついた油汚れを掻き落とすことができ、フライパンの表面を傷つけることなく容易に清拭でき、十分な汚れ落とし効果が得られた。また、実施例１の清拭ブラシは、水に濡れても手に安定して保持させることができ、清拭ブラシの第１のバンド部と第２のバンド部とが、水に濡れても十分な強度を有するものであることが確認できた。さらに、実施例１の清拭ブラシでは、汚れ除去効果が容易に認識できた。
しかし、市販の食器洗い用スポンジでは、十分な汚れ落とし効果を得るためには、強い力を入れて擦る必要があった。また、市販の食器洗い用スポンジでは、スポンジに付着したフライパン汚れが、皿を洗う際に皿に移ってしまうため、手間がかかった。これに対し、実施例１の清拭ブラシは、使い捨てのため、汚れた清拭ブラシから他の皿への汚れ移動が生じず、手間がかからなかった。
【００９０】
「試験例２」
実施例１の清拭ブラシまたは市販のテーブルクロスを用いて、木製のダイニングテーブルを洗浄した。
【００９１】
目視で観察すると汚れが付着していないように見えるダイニングテーブルの表面を、水で濡らした実施例１の清拭ブラシで清拭した。その結果、清拭ブラシの突起部に汚れが付着し、ダイニングテーブルの表面が汚れていたことが容易に視認できた。これに対し、テーブルクロスを用いて同じダイニングテーブル清拭した場合には、汚れが視認できず、汚れ除去効果の確認ができなかった。
また、実施例１の清拭ブラシまたは市販のテーブルクロスを用いて、木製のダイニングテーブルにこびりついた乾燥した米粒を除去したところ、実施例１の清拭ブラシではダイニングテーブルの表面を傷つけることなく容易に除去できたが、市販のテーブルクロスでは除去しにくかった。
【００９２】
「試験例３」
実施例１の清拭ブラシ、市販の浴室用洗浄ブラシ、市販の金属製ブラシを用いて、浴槽の壁面の水面に相当する位置にこびりついている汚れを洗浄した。
その結果、実施例１の清拭ブラシでは、汚れを容易に落とすことができ、十分な汚れ落とし効果が得られ、かつ浴槽を傷つけることもなかった。また、汚れ除去効果が容易に認識できた。
これに対し、市販の浴室用洗浄ブラシでは、ブラシの強度が弱すぎて落としにくく、十分な汚れ落とし効果が得られなかった。また、汚れ除去効果が認識できなかった。
また、市販の金属製ブラシでは、浴槽に傷がついてしまった。また、汚れ除去効果も認識でなかった。
【図面の簡単な説明】
【００９３】
【図１】図１は、本発明の清拭用ブラシの一例を説明するための図である。
【図２】図２は、本発明の清拭用ブラシの他の例を説明するための斜視図である。
【図３】図３は、本発明の清拭用ブラシの他の例を説明するための斜視図である。
【図４】図４は、本発明の清拭用ブラシの他の例を説明するための斜視図である。
【図５】図５は、本発明の清拭用ブラシの比較例としての清拭用ブラシの一例を説明するための斜視図である。
【図６】図６は、本発明の清拭用ブラシの比較例としての清拭用ブラシの他の例を説明するための斜視図である。
【符号の説明】
【００９４】
１・・・基板、１ａ・・・一方の面、１ｂ・・・短辺、１ｃ、１ｄ、１ｅ、１ｆ・・・切込み、２・・・突起部、２ａ・・・頂部、２ｂ・・・基部、２ｃ・・・上側面部、２ｄ・・・下側面部、３・・・第１のバンド部、３ａ、３ｂ・・・第１切込み部、４・・・第２のバンド部、４ａ・・・第２切込み部、１０、２０、３０、４０、５０・・・清拭用ブラシ、２２・・・側面。
【図１】
2008119236.tif 000007
【図２】
2008119236.tif 000008
【図３】
2008119236.tif 000009
【図４】
2008119236.tif 000010
【図５】
2008119236.tif 000011
【図６】
2008119236.tif 000012